(57)【要約】  本発明は、自動化物流の技術に関する出庫方法及び装置を開示し、出庫効率を効果的に向上させることができる。上述した出庫方法は、出庫において出庫予定注文書を受領すること（１０１）と、出庫予定注文書と出庫中注文書とを合併し、合併注文書を取得すること（１０２）と、前記合併注文書における各在庫品の属性に従って、前記各在庫品の属性にマッチしている棚の情報をそれぞれに取得すること（１０３）と、予め設置された棚出庫ポリシーに従って前記取得された棚の情報を選別することにより、目標棚の情報を取得すること（１０４）とを含む。上述した出庫方法は出庫及び在庫の最適化に適用される。【選択図】図１
2020502015.tif 000002
【特許請求の範囲】
【請求項１】
出庫において出庫予定注文書を受領することと、
前記出庫予定注文書と出庫中注文書とを合併し、合併注文書を取得することと、
前記合併注文書における各在庫品の属性に従って、前記各在庫品の属性にマッチしている棚の情報をそれぞれに取得することと、
予め設置された棚出庫ポリシーに従って前記取得された棚の情報を選別することにより、目標棚の情報を取得することと、を含む
ことを特徴とする出庫方法。
【請求項２】
前記予め設置された棚出庫ポリシーに従って前記取得された棚の情報を選別することにより、前記目標棚の情報を取得することは、
出庫中の棚の情報があるか否かを判断し、前記出庫中の棚の情報がある場合は前記出庫中の棚の情報を前記目標棚の情報とすることを含む
ことを特徴とする請求項１に記載の出庫方法。
【請求項３】
前記予め設置された棚出庫ポリシーに従って前記取得された棚の情報を選別することにより、前記目標棚の情報を取得することは、
出庫中の棚の情報があるか否かを判断し、前記出庫中の棚の情報がなくかつ前記取得された棚の情報がロットを含んでいる棚の情報である場合は、ロット番号によって先入先出の順で前記ロットを含んでいる棚の情報をソートし、ロット番号でソートされた棚の情報を順に選んで前記目標棚の情報とすることを含む
ことを特徴とする請求項１に記載の出庫方法。
【請求項４】
前記取得された棚の情報がロットを含んでいない棚の情報である場合は、入庫日付によって先入先出の順で前記ロットを含んでいない棚の情報をソートし、入庫日付でソートされた棚の情報を順に選んで前記目標棚の情報とすることを含む
ことを特徴とする請求項３に記載の出庫方法。
【請求項５】
入庫日付の同じ棚の情報が複数である場合は、当該複数の棚の情報を棚の情報における在庫総量の大小順でソートし、在庫総量でソートされた棚の情報を順に選んで前記目標棚の情報とすることを含む
ことを特徴とする請求項４に記載の出庫方法。
【請求項６】
ロットの同じ棚の情報が複数である場合は、当該複数の棚の情報を棚の情報における在庫総量の大小順でソートし、在庫総量でソートされた棚の情報を順に選んで前記目標棚の情報とすることを含む
ことを特徴とする請求項３に記載の出庫方法。
【請求項７】
在庫総量でソートする中で在庫総量の同じ棚の情報が複数である場合は、棚の情報における各方向の在庫の大小順で棚の情報をソートし、各方向の在庫でソートされた棚の情報を順に選んで前記目標棚の情報とすることを含む
ことを特徴とする請求項５または６に記載の出庫方法。
【請求項８】
方向でソートする中で方向の在庫総量の同じの棚の情報が複数である場合は、方向の在庫総量の同じの複数の棚とステーションとの距離をそれぞれに計算し、距離の近遠順でソートし、距離でソートされた棚の情報を順に選んで前記目標棚の情報とすることを含む
ことを特徴とする請求項７に記載の出庫方法。
【請求項９】
前記目標棚の情報を取得した後、前記目標棚の情報に基づいて前記目標棚の情報に対応する目標棚をステーションに搬送するように自動ガイド台車に通知することを含む
ことを特徴とする請求項１〜６のいずれか１項に記載の出庫方法。
【請求項１０】
前記目標棚の情報における各保管スペースの在庫総量を小大順でソートし、在庫総量の小さい前記保管スペースにおける在庫品を優先的に選択して出庫するように通知することを含む
ことを特徴とする請求項９に記載の出庫方法。
【請求項１１】
前記保管スペースの在庫総量の同じ前記保管スペースが複数である場合は、前記保管スペースの位置の高低順でソートし、位置の高い前記保管スペースにおける前記在庫品を優先的に選択して出庫するように通知することを含む
ことを特徴とする請求項１０に記載の出庫方法。
【請求項１２】
前記合併注文書における前記各在庫品の属性に従って、前記各在庫品の属性にマッチしている棚の情報をそれぞれに取得することは、
在庫品の属性に特殊在庫が含まれているか否かにより、前記合併注文書の前記各在庫品を特殊在庫リストと非特殊在庫リストに分類することと、
前記在庫品の属性にロットが含まれているか否かにより、前記特殊在庫リストと非特殊在庫リストを更に分類することと、
予め設置された在庫リストをチェックし、更に分類された前記各在庫品がそれぞれに所属している棚の情報を取得し、取得された棚の情報を合併することと、を含む
ことを特徴とする請求項１〜６のいずれか１項に記載の出庫方法。
【請求項１３】
出庫において出庫予定注文書を受領し、前記出庫予定注文書と出庫中注文書とを合併し、合併注文書を取得する注文書合併モジュールと、
前記合併注文書における各在庫品の属性に従って、前記各在庫品の属性にマッチしている棚の情報をそれぞれに取得する棚の情報取得モジュールと、
予め設置された棚出庫ポリシーに従って前記取得された棚の情報を選別することにより、目標棚の情報を取得する棚の情報選択モジュールと、を備える
ことを特徴とする出庫装置。
【請求項１４】
前記棚の情報選択モジュールは、
出庫中の棚の情報があるか否かを判断し、前記出庫中の棚の情報がある場合は前記出庫中の棚の情報を前記目標棚の情報とする第１の判断ユニットを含む
ことを特徴とする請求項１３に記載の出庫装置。
【請求項１５】
前記棚の情報選択モジュールは、
出庫中の棚の情報があるか否かを判断し、前記出庫中の棚の情報がない場合は、第２の判断ユニットに通知する第３の判断ユニットと、
棚の情報がロットを含んでいる棚の情報であるか否かことを判断し、そうである場合はロットソートユニットに通知する第２の判断ユニットと、
ロット番号によって先入先出の順で前記ロットを含んでいる棚の情報をソートし、前記ロット番号でソートされた棚の情報を順に選んで前記目標棚の情報とするロットソートユニットと、を備える
ことを特徴とする請求項１３に記載の出庫装置。
【請求項１６】
前記棚の情報選択モジュールは日付ソートユニットを含み、
第２の判断ユニットは、さらに、取得された棚の情報がロットを含んでいない棚の情報でる場合、前記日付ソートユニットに通知し、
前記日付ソートユニットは、入庫日付によって先入先出の順で前記ロットを含んでいない棚の情報をソートし、入庫日付でソートされた棚の情報を順に選んで前記目標棚の情報とする
ことを特徴とする請求項１５に記載の出庫装置。
【請求項１７】
前記日付ソートユニットは、さらに、入庫日付の同じ棚の情報が複数である場合は、当該複数の棚の情報を棚の情報における在庫総量の大小順でソートし、在庫総量でソートされた棚の情報を順に選んで前記目標棚の情報とする
ことを特徴とする請求項１６に記載の出庫装置。
【請求項１８】
前記ロットソートユニットは、さらに、ロットの同じ棚の情報が複数である場合は、当該複数の棚の情報を棚の情報における在庫総量の大小順でソートし、在庫総量でソートされた棚の情報を順に選んで前記目標棚の情報とする
ことを特徴とする請求項１５に記載の出庫装置。
【請求項１９】
前記ロットソートユニットは、さらに、在庫総量でソートする中で在庫総量の同じの棚の情報が複数である場合は、棚の情報における各方向の在庫の大小順で棚の情報をソートし、各方向の在庫でソートされた棚の情報を順に選んで前記目標棚の情報とする
ことを特徴とする請求項１７または１８に記載の出庫装置。
【請求項２０】
前記ロットソートユニットは、さらに、方向でソートする中で方向の在庫総量の同じの棚の情報が複数である場合は、前記方向の在庫総量の同じの複数の棚とステーションとの距離をそれぞれに計算し、距離の近遠順でソートし、距離でソートされた棚の情報を順に選んで前記目標棚の情報とする
ことを特徴とする請求項１９に記載の出庫装置。
【請求項２１】
前記目標棚の情報に基づいて前記目標棚の情報に対応する目標棚をステーションに搬送するように自動ガイド台車に通知する通知モジュールをさらに備える
ことを特徴とする請求項１３〜１８のいずれか１項に記載の出庫装置。
【請求項２２】
前記目標棚の情報における各保管スペースの在庫総量を小大順でソートし、在庫総量の小さい前記保管スペースにおける前記在庫品を優先的に選択して出庫するように通知する出庫モジュールをさらに備える
ことを特徴とする請求項２１に記載の出庫装置。
【請求項２３】
前記出庫モジュールは、さらに、保管スペースの在庫総量の同じ保管スペースが複数である場合は、前記保管スペースの位置の高低順でソートし、位置の高い前記保管スペースにおける前記在庫品を優先的に選択して出庫するように通知する
ことを特徴とする請求項２２に記載の出庫装置。
【請求項２４】
前記棚の情報取得モジュールは、
在庫品の属性に特殊在庫が含まれているか否かにより、前記合併注文書の前記各在庫品を特殊在庫リストと非特殊在庫リストに分類する第１の分類ユニットと、
在庫品の属性にロットが含まれているか否かにより、前記特殊在庫リストと前記非特殊在庫リストを更に分類する第２の分類ユニットと、
予め設置された在庫リストをチェックし、更に分類された前記各在庫品がそれぞれに所属している棚の情報を取得し、取得された棚の情報を合併する棚の情報取得ユニットと、を備える
ことを特徴とする請求項１３〜１８のいずれか１項に記載の出庫装置。
【請求項２５】
実行可能なプログラムコードを記憶するメモリと、
メモリに記憶されている前記実行可能なプログラムコードを読み取ることにより、前記実行可能なプログラムコードに対応するプログラムを実行するプロセッサと、を備え、請求項１〜１２のいずれか１項に記載の出庫方法を実行する
ことを特徴とする電子装置。
【請求項２６】
実行可能なプログラムコードであって、
前記実行可能なプログラムコードが実行されて請求項１〜１２のいずれか１項に記載の出庫方法を実行する
ことを特徴とする実行可能なプログラムコード。
【請求項２７】
コンピュータ可読記憶媒体であって、
前記コンピュータ可読記憶媒体が実行可能なプログラムコードを記憶し、前記実行可能なプログラムコードが実行されて請求項１〜１２のいずれか１項に記載の出庫方法を実行する
ことを特徴とするコンピュータ可読記憶媒体。
【発明の詳細な説明】
【技術分野】
【０００１】
本発明は、２０１６年１１月２９日に中国特許庁に出願されて、出願番号が２０１６１１０７７０３７．Xで、発明名称が「出庫方法及び装置」である中国特許出願に基づく優先権を主張し、その全文を引用して組み込んでいるものである。
【背景技術】
【０００２】
本発明は、物流自動化の分野に関し、特に出庫方法及び装置に関する。
【０００３】
倉庫管理は、在庫品の仕入れ出し、棚卸などの活動を有効的に制御し、在庫品を分類記録すること及び在庫品の出庫のルートを計画することにより、生産経営活動が正常に進行し効率的に展開することを確保できる。
【０００４】
物流業の急速な発展に伴い、倉庫保管の効率を効果的に向上させるために、倉庫管理の自動化に対する要求はますます高くなっている。具体的に、一回の出庫作業では、注文書における商品属性に基づいて、一回の出庫作業の複数の注文書において合併する必要のある注文書が存在するかを判断し、合併する必要のある注文書を合併しなければならない。そして、合併注文書に基づいて、合併注文書における各出庫在庫品とステーションとの間の移動距離を計算し、最短の移動距離で出庫し、合併注文書における出庫が完了してから、出庫中および出庫後に受領した注文書を処理する。
【０００５】
しかしながら、この出庫方法では、出庫前に注文書を合併処理し、そして合併注文書に従い、最短の移動距離で出庫するので、出庫中に新たに受領した注文書を考慮しない。新たに受領した注文書において、一部の在庫品が出庫しようとする棚の情報にあるため、出庫回数が増やされて合計の搬送時間が延長されるので、出庫効率が低下してしまう。
【発明の概要】
【発明が解決しようとする課題】
【０００６】
本発明はこのような事情に鑑みてなされたものであって、従来の出庫方法では出庫において新規注文書を考慮しないことによる出庫の回数と合計搬送の時間が増え、出庫の効率が低下するという問題を解決でき、出庫の効率を向上させる出庫方法および装置を提供することを目的とする。
【課題を解決するための手段】
【０００７】
第１の方面では、本出願の実施例によって提供される出庫方法は、出庫において出庫予定注文書を受領することと、出庫予定注文書と出庫中注文書とを合併し、合併注文書を取得することと、前記合併注文書における各在庫品の属性に従って、前記各在庫品の属性にマッチしている棚の情報をそれぞれに取得することと、予め設置された棚出庫ポリシーに従って前記取得された棚の情報を選別することにより、目標棚の情報を取得することと、を含む。
【０００８】
第１の方面によれば、前記第１の方面の第１の実施の形態では、前記予め設置された棚出庫ポリシーに従って前記取得された棚の情報を選別することにより、目標棚の情報を取得することは、
出庫中の棚の情報があるか否かを判断し、出庫中の棚の情報がある場合は前記出庫中の棚の情報を目標棚の情報とすることを含む。
【０００９】
第１の方面によれば、前記第１の方面の第２の実施の形態では、前記予め設置された棚出庫ポリシーに従って前記取得された棚の情報を選別することにより、目標棚の情報を取得することは、
出庫中の棚の情報があるか否かを判断し、出庫中の棚の情報がなくかつ前記取得された棚の情報がロットを含んでいる棚の情報である場合は、ロット番号によって先入先出の順で前記ロットを含んでいる棚の情報をソートし、ロット番号でソートされた棚の情報を順に選んで目標棚の情報とすることを含む。
【００１０】
第１の方面の第２の実施の形態によれば、前記第１の方面の第３の実施の形態では、前記方法はさらに、前記取得された棚の情報がロットを含んでいない棚の情報である場合は、入庫日付によって先入先出の順で前記ロットを含んでいない棚の情報をソートし、入庫日付でソートされた棚の情報を順に選んで目標棚の情報とすることを含む。
【００１１】
第１の方面の第３の実施の形態によれば、前記第１の方面の第４の実施の形態では、前記方法はさらに、入庫日付の同じ棚の情報が複数である場合は、当該複数の棚の情報を棚の情報における在庫総量の大小順でソートし、在庫総量でソートされた棚の情報を順に選んで目標棚の情報とすることを含む。
【００１２】
第１の方面の第２の実施の形態によれば、前記第１の方面の第５の実施の形態では、前記方法はさらに、ロット番号の同じ棚の情報が複数である場合は、当該複数の棚の情報を、棚の情報における在庫総量の大小順でソートし、在庫総量でソートされた棚の情報を順に選んで目標棚の情報とすることを含む。
【００１３】
第１の方面の第２または第５の実施の形態によれば、前記第１の方面の第６の実施の形態では、前記方法はさらに、在庫総量でソートする中で在庫総量の同じ棚の情報が複数である場合は、棚の情報における各方向の在庫の大小順で棚の情報をソートし、各方向の在庫でソートされた棚の情報を順に選んで目標棚の情報とすることを含む。
【００１４】
第１の方面の第６の実施の形態によれば、前記第１の方面の第７の実施の形態では、前記方法はさらに、方向でソートする中で方向の在庫総量の同じの棚の情報が複数である場合は、方向の在庫総量の同じの複数の棚とステーションとの距離をそれぞれに計算し、距離の近遠順でソートし、距離でソートされた棚の情報を順に選んで目標棚の情報とすることを含む。
【００１５】
第１の方面、第１の方面の第１乃至第５の実施の形態のいずれかによれば、第１の方面の第８の実施の形態では、前記方法はさらに、目標棚の情報を取得した後、前記目標棚の情報に基づいて前記目標棚の情報に対応する目標棚をステーションに搬送するように自動ガイド台車に通知することを含む。
【００１６】
第１の方面の第８の実施の形態によれば、前記第１の方面の第９の実施の形態では、前記方法はさらに、目標棚の情報における各保管スペースの在庫総量を小大順でソートし、在庫総量の小さい保管スペースにおける在庫品を優先的に選択して出庫するように通知することを含む。
【００１７】
第１の方面の第９の実施の形態によれば、前記第１の方面の第１０の実施の形態では、前記方法はさらに、保管スペースの在庫総量の同じ保管スペースが複数である場合は、保管スペースの位置の高低順でソートし、位置の高い保管スペースにおける在庫品を優先的に選択して出庫するように通知することを含む。
【００１８】
第１の方面、第１の方面の第１乃至第５の実施の形態のいずれかによれば、第１の方面の第１０の実施の形態では、前記合併注文書における各在庫品の属性に従って、前記各在庫品の属性にマッチしている棚の情報をそれぞれに取得することは、在庫品の属性に特殊在庫が含まれているか否かにより、前記合併注文書の各在庫品を特殊在庫リストと非特殊在庫リストに分類することと、在庫品の属性にロットが含まれているか否かにより、前記特殊在庫リストと非特殊在庫リストを更に分類することと、予め設置された在庫リストをチェックし、更に分類された各在庫品がそれぞれに所属している棚の情報を取得し、取得された棚の情報を合併することと、を含む。
【００１９】
第２の方面では、本発明の実施例によって提供される出庫装置は、出庫において出庫予定注文書を受領し、出庫予定注文書と出庫中注文書とを合併し、合併注文書を取得する注文書合併モジュールと、前記合併注文書における各在庫品の属性に従って、前記各在庫品の属性にマッチしている棚の情報をそれぞれに取得する棚の情報取得モジュールと、予め設置された棚出庫ポリシーに従って前記取得された棚の情報を選別することにより、目標棚の情報を取得する棚の情報選択モジュールと、を備える。
【００２０】
第２の方面によれば、前記第２の方面の第１の実施の形態では、前記棚の情報選択モジュールは、出庫中の棚の情報があるか否かを判断し、出庫中の棚の情報がある場合は前記出庫中の棚の情報を目標棚の情報とする第１の判断ユニットを含む。
【００２１】
第２の方面によれば、前記第２の方面の第２の実施の形態では、前記棚の情報選択モジュールは、出庫中の棚の情報があるか否かを判断し、出庫中の棚の情報がない場合は、第２の判断ユニットに通知する第３の判断ユニットと、棚の情報がロットを含んでいる棚の情報であるか否かことを判断し、そうである場合はロットソートユニットに通知する第２の判断ユニットと、ロット番号によって先入先出の順で前記ロットを含んでいる棚の情報をソートし、ロット番号でソートされた棚の情報を順に選んで目標棚の情報とするロットソートユニットと、を備える。
【００２２】
第２の方面によれば、前記第２の方面の第３の実施の形態では、前記棚の情報選択モジュールは日付ソートユニットを含み、第２の判断ユニットは、取得された棚の情報がロットを含んでいない棚の情報である場合は日付ソートユニットに通知し、日付ソートユニットは、入庫日付によって先入先出の順で前記ロットを含んでいない棚の情報をソートし、入庫日付でソートされた棚の情報を順に選んで目標棚の情報とする。
【００２３】
第２の方面によれば、前記第２の方面の第４の実施の形態では、前記日付ソートユニットは、入庫日付の同じの棚の情報が複数である場合は、入庫日付によって先入である複数の棚の情報を棚の情報の在庫総量の大小順でソートし、在庫総量でソートされた棚の情報を順に選んで目標棚の情報とする。
【００２４】
第２の方面によれば、前記第２の方面の第５の実施の形態では、前記ロットソートユニットは、前記ロットソートユニットは、さらに、ロット番号の同じ棚の情報が複数である場合は、当該複数の棚の情報を、棚の情報における在庫総量の大小順でソートし、在庫総量でソートされた棚の情報を順に選んで目標棚の情報とする。
【００２５】
第２の方面の第４または第５の実施の形態によれば、前記第２の方面の第６の実施の形態では、前記ロットソートユニットは、在庫総量でソートする中で在庫総量の同じの棚の情報が複数である場合は、棚の情報における各方向の在庫の大小順で棚の情報をソートし、各方向の在庫でソートされた棚の情報を順に選んで目標棚の情報とする。
【００２６】
第２の方面の第６の実施の形態によれば、前記第２の方面の第７の実施の形態では、前記ロットソートユニットは、方向でソートする中で方向の在庫総量の同じの棚の情報が複数である場合は、方向の在庫総量の同じの複数の棚とステーションとの距離をそれぞれに計算し、距離の近遠順でソートし、距離でソートされた棚の情報を順に選んで目標棚の情報とする。
【００２７】
第２の方面、第２の方面の第１乃至第５の実施の形態のいずれかによれば、前記第２の方面の第８の実施の形態では、前記装置は、目標棚の情報を取得した後、前記目標棚の情報に基づいて前記目標棚の情報に対応する目標棚をステーションに搬送するように自動ガイド台車に通知する通知モジュールをさらに備える。
【００２８】
第２の方面の第８の実施の形態によれば、前記第２の方面の第９の実施の形態では、前記装置は、目標棚の情報における各保管スペースの在庫総量を小大順でソートし、在庫総量の小さい保管スペースにおける在庫品を優先的に選択して出庫するように通知する出庫モジュールをさらに備える。
【００２９】
第２の方面の第９の実施の形態によれば、前記第２の方面の第１０の実施の形態では、前記出庫モジュールは、保管スペースの在庫総量の同じ保管スペースが複数である場合は、保管スペースの位置の高低順でソートし、位置の高い保管スペースにおける在庫品を優先的に選択して出庫するように通知する。
【００３０】
第２の方面、第２の方面の第１乃至第５の実施の形態のいずれかによれば、前記第２の方面の第１１の実施の形態では、前記棚の情報取得モジュールは、在庫品の属性に特殊在庫が含まれているか否かにより、前記合併注文書の各在庫品を特殊在庫リストと非特殊在庫リストに分類する第１の分類ユニットと、在庫品の属性にロットが含まれているか否かにより、前記特殊在庫リストと非特殊在庫リストを更に分類する第２の分類ユニットと、予め設置された在庫リストをチェックし、更に分類された各在庫品がそれぞれに所属している棚の情報を取得し、取得された棚の情報を合併する棚の情報取得ユニットと、を備える。
【００３１】
第３の方面では、本発明の実施例によって提供される電子装置は、ケースと、プロセッサと、メモリと、電気回路基板と、電源回路と、を備え、電気回路基板がケースに囲まれるスペースの内部に設置され、プロセッサとメモリが電気回路基板に設置され、電源回路が上記した電子装置の各電気回路または素子に電力を供給し、メモリが実行可能なプログラムコードを記憶し、 プロセッサがメモリに記憶されている実行可能なプログラムコードを読み取ることにより、実行可能なプログラムコードに対応するプログラムを実行し、前記いずれか１つの態様に記載の出庫方法を実行する。
【００３２】
第４の方面では、本発明の実施例によって提供される電子装置は、実行可能なプログラムコードを記憶するメモリと、メモリに記憶されている実行可能なプログラムコードを読み取ることにより、実行可能なプログラムコードに対応するプログラムを実行するプロセッサと、を備え、前記いずれか１つの態様に記載の出庫方法を実行する。
【００３３】
第５の方面では、本発明の実施例によって提供される実行可能なプログラムコードは、実行されると前記いずれか１つの態様に記載の出庫方法を実行する。
【００３４】
第６の方面では、本発明の実施例によって開示させるコンピュータ可読記憶媒体は、実行可能なプログラムコードを記憶し、前記実行可能なプログラムコードが実行されると前記いずれか１つの態様に記載の出庫方法を実行する。
【発明の効果】
【００３５】
本発明の実施例によって提供される出庫方法、装置および電子装置は、出庫において出庫予定注文書を受領することと、出庫予定注文書と出庫中注文書とを合併し、合併注文書を取得することと、前記合併注文書における各在庫品の属性に従って、前記各在庫品の属性にマッチしている棚の情報をそれぞれに取得することと、予め設置された棚出庫ポリシーに従って前記取得された棚の情報を選別することにより、目標棚の情報を取得することと、を含むことによって、従来の出庫方法において出庫中で新規注文書を考慮しないことによる出庫の回数と合計搬送の時間が増えるので、出庫の効率が低下という問題を解決できる。
【図面の簡単な説明】
【００３６】
本発明の実施形態と従来技術の技術案をより明瞭に説明するために、以下では実施形態と従来技術に必要な図面を簡単に説明し、以下で説明される図面は単に本発明の一部の実施形態であり、当業者にとって、創造的な労働を必要とせずに、これらの図面に基づいて他の図面を得ることができることは明らかである。
【００３７】
【図１】本発明の実施形態１の出庫方法のフローチャートである。
【図２】本発明の実施形態１の出庫方法のフローチャートである。
【図３】本発明の実施形態３の出庫装置の構成模式図である。
【図４】本発明の電子装置の実施形態の構成模式図である。
【図５】本発明の電子装置の他の実施形態の構成模式図である。
【発明を実施するための形態】
【００３８】
本発明の目的、技術案及び利点をより明確にするために、以下、図面を参照して実施例を挙げて、本発明をより詳しく説明する。勿論、説明される実施例は本発明の一部の実施例に過ぎず、全ての実施例ではない。本発明の実施例に基づいて、当業者が創造的な労働を必要とせずに得るすべての他の実施例は、いずれも本発明の保護範囲に属する。
【００３９】
図１は本発明の実施例１の出庫方法のフローチャートであり、図１に示すように、本発明の実施例の方法は、ステップ１０１、出庫において出庫予定注文書を受領すること、ステップ１０２、出庫予定注文書と出庫中注文書を合併し、合併注文書を取得することとを含む。
【００４０】
本実施例では、好ましい実施例として、出庫予定注文書と出庫中注文書を合併し、合併注文書を取得することは、上述した出庫予定注文書の各在庫品の属性をトラバースして、出庫中注文書には、トラバースされた在庫品の属性と同じ在庫品があるか否かをチェックし、ある場合は、上述トラバースされた在庫品の属性に対応する注文書コラムにおける数量に基づいて、出庫中注文書における同じ在庫品の属性に対応する注文書コラムにおける数量を更新し、ない場合は、上述トラバースされた在庫品の属性に対応する注文書コラムを出庫中注文書に追加することを含む。
【００４１】
本実施例では、好ましい実施例として、在庫品の属性は目録品名称、規格、ロット、工場、保管スペース、特殊在庫などを含むが、それに限定されない。在庫品の属性には目録品数量が含まれない。ある在庫品の目録品名称、規格、ロット、工場、保管スペース、特殊在庫はそれぞれに在庫リストの中の在庫品の目録品名称、規格、ロット、工場、保管スペース、特殊在庫と対応して同じであると、該在庫品の属性は在庫リストとマッチしている。
【００４２】
本実施例では、出庫予定注文書における在庫品の在庫品属性は出庫中の在庫品の在庫品属性と同じであると、出庫予定注文書における在庫品を出庫中注文書に合併することにより、出庫回数と合計搬送時間は効果的に減少できる。
【００４３】
本実施例では、出庫予定注文書に対して予めに処理してもよく、つまり在庫の中に出庫予定注文書の各在庫品があるか否かを判断してもよい。従って、他の好ましい実施例として、出庫予定注文書を受領し、出庫予定注文書と出庫中注文書を合併して、合併注文書を取得することは、
Ａ１１、上述した出庫予定注文書の各在庫品の属性をトラバースして、在庫リストにそれぞれマッチし、マッチしていると、マッチされた在庫品の属性に対応する注文書コラムを出庫中注文書に書き込むこと、
Ａ１２、マッチされた在庫品の属性が書き込まれた出庫中注文書には、マッチされた在庫品の属性と同じ在庫があるか否かをチェックし、ある場合は、マッチされた在庫品の属性に対応する注文書コラムにおける数量により、出庫中注文書の中の同じ在庫品の属性に対応する注文書コラムにおける数量を更新するとともに、書き込まれた上述マッチされた在庫品の属性に対応する注文書コラムを削除すること、を含む。
【００４４】
前記方法は、ステップ１０３、前記合併注文書の各在庫品の属性により、前記各在庫品の属性にマッチしている棚の情報をそれぞれに取得することを、さらに含む。
【００４５】
本実施例では、好ましい実施例として、在庫リストでマッチされていない合併注文書に対して、前記合併注文書の各在庫品の属性により、前記各在庫品の属性にマッチしている棚の情報をそれぞれに取得することは、
Ａ２１、在庫品の属性に特殊在庫が含まれているか否かにより、前記合併注文書の各在庫品を特殊在庫リストと非特殊在庫リストに分類することと、
本実施例では、特殊要求の在庫品に対して、例えば、予めに設置された専用材料と、専用メーカーと、特定搬送措置などを含むと要求される在庫品は、一般的に特殊在庫に置かれ、特殊要求のない在庫品の非特殊在庫と隔離する。そのため、在庫品に特殊在庫要求があるか否かことにより、合併注文書の各在庫品を在庫分類してリストする。
Ａ２２、在庫品の属性にロットが含まれているか否かにより、前記特殊在庫リストと非特殊在庫リストを更に分類することと、
Ａ２３、予め設置された在庫リストをチェックし、更に分類された各在庫品がそれぞれに所属している棚の情報を取得し、取得された棚の情報を合併することと、を含む。  
【００４６】
本実施例では、好ましい実施例として、上述の各在庫品の属性にマッチされた棚の情報を取得した後、棚の情報における保管スペース情報を更に取得する。
前記方法は、ステップ１０４、予め設置された棚出庫ポリシーに従って、取得された棚の情報を選別することにより、目標棚の情報を取得することを、さらに含む。
【００４７】
本実施例では、好ましい実施例として、予め設置された棚の出庫ポリシーに従って、取得された棚の情報を選別することは、
出庫中の棚の情報があると確定すると、前記出庫中の棚の情報を目標棚の情報とすることを含む。  
【００４８】
本実施例では、出庫中の棚を優先的にステーションに搬送する。
【００４９】
本実施例では、他の好ましい実施例として、予め設置された棚の出庫ポリシーに従って、取得された棚の情報を選別することは、
出庫中の棚の情報がなく、前記取得された棚の情報がロットを含んでいる棚の情報であると確定した場合は、ロット番号によって先入先出の順で前記ロットを含んでいる棚の情報をソートし、ロット番号でソートされた棚の情報を順に選んで目標棚の情報とすることを含む。
【００５０】
本実施例では、ロット番号によって先入である棚を優先的に搬送する。
【００５１】
本実施例では、他の好ましい実施例として、予め設置された棚の出庫ポリシーに従って、取得された棚の情報を選別することは、
出庫中の棚の情報がなく、前記取得された棚の情報がロットを含んでいない棚の情報であると確定した場合は、入庫日付によって先入先出の順で前記ロットを含んでいない棚の情報をソートし、入庫日付でソートされた棚の情報を順に選んで目標棚の情報とすることを含む。
【００５２】
本実施例では、入庫日付によって先入である棚を優先的に搬送する。
【００５３】
本実施例では、ロット番号によって先入先出の順でソートされた棚の情報と入庫日付によって先入先出の順でソートされた棚の情報とについて、ロット番号が同じの棚の情報や入庫日付が同じの棚の情報は複数あることもありえるので、つまりロット番号でソートされたまたは入庫日付でソートされた棚の情報には並列の棚の情報があるので、好ましい実施例として、ステーションに搬送される前に、上記方法は、
ロット番号によってまたは入庫日付によって同じである棚の情報が複数である場合は、ロット番号によってまたは入庫日付によって同じである複数の棚の情報を、棚の情報における在庫総量の大小順でソートし、在庫総量でソートされた棚の情報を順に選んで目標棚の情報とすることを含む。
【００５４】
本実施例では、ロット番号でソートされまたは入庫日付でソートされた棚の情報に並列で存在する棚の情報に対して再度ソートすることによって、棚の情報における在庫総量の大きい棚を優先的に搬送し、棚を最小限に出すことができるので、搬送回数と搬送時間を有効的に減少する。
【００５５】
本実施例では、好ましい実施例として、前記方法は、更に、
在庫総量でソートされた棚の情報に在庫総量の同じ棚の情報が複数である場合は、棚の情報における各方向の在庫量の大小順で棚の情報をソートし、各方向の在庫でソートされた棚の情報を順に選んで目標棚の情報とすることを含む。
【００５６】
本実施例では、在庫総量の同じ複数の棚の情報に対して、方向在庫量の大きい棚の情報を優先的に選択し、棚の回転を減らすという原則を実行する。
【００５７】
本実施例では、一つの棚は４つの方向に対応し、つまり前後左右の方向であり、４つの方向のうちいずれかの１つの方向または複数の方向から在庫品を引き出して出庫できる。例えば、一つの棚の前方向の在庫量（直接にその方向から引き出せる在庫品）は１５件、後方向の在庫量は８件、左方向の在庫量は６件、右方向の在庫量は３件であり、他の棚の前後左右の方向のそれぞれの在庫量のいずれも８件である場合、前方向の在庫量の１５件の棚を一番前に配列し、その棚の情報を目標棚の情報として優先的に選択する。
【００５８】
本実施例では、他の好ましい実施例として、前記方法は、更に、
方向でソートされた棚の情報に方向の在庫量の同じの棚の情報が複数である場合は、方向の在庫量の同じの複数の棚とステーションとの距離をそれぞれに計算し、距離の近遠順でソートし、距離でソートされた棚の情報を順に選んで目標棚の情報とすることを含む。
【００５９】
本実施例では、好ましい実施例として、前記方法は、
目標棚の情報の保管スペースの位置と数量情報を提示することを含む。
【００６０】
本実施例では、好ましい実施例として、目標棚の情報を取得した後、前記方法は、
前記目標棚の情報に基づいて前記目標棚の情報に対応する目標棚をステーションに搬送するように自動ガイド台車に通知することを含む。
【００６１】
本実施例では、他の好ましい実施例として、目標棚の情報を取得した後、前記方法は、
目標棚の情報における各保管スペースの在庫量を小大順でソートし、在庫量の小さい保管スペースにおける在庫品を優先的に選択して出庫するように通知することを含む。
【００６２】
本実施例では、目標棚がステーションに搬送された後、スタッフによって目標棚から荷下ろすことにより出庫を完成するので、保管スペースの在庫量の小さい保管スペースの中の在庫品を優先的に選択し、保管スペースを空にするという原則を実行する。
【００６３】
本実施例では、他の好ましい実施例として、前記方法は、更に、
在庫量の同じ保管スペースが複数である場合は、保管スペースの位置の高低順でソートし、位置の高い保管スペースにおける在庫品を優先的に選択して出庫するように通知することを含む。
【００６４】
本実施例では、位置の高い保管スペースにおける在庫品を選択して出庫することにより、棚のバランスを維持できるとともに、AGVが搬送中に倒れる可能性を減少できる。
【００６５】
本実施例では在庫品の出庫の最適な方法を提供し、棚を指定位置に搬送する自動ガイド台車（AGV，Automated  Guided  Vehicle）をインテリジェント倉庫管理システム（iWMS，Intelligent  Warehouse  Management  System）に用い、企業資源計画（ERP、Enterprise Resource Planning）システムが生成した注文書情報に基づき、iWMSにより管理される在庫を併せて、注文書の条件にマッチしている棚の情報と、保管スペースと、在庫と、を自動的に選び出すことができるとともに、在庫品を倉庫からステーションに搬送するようにAGV台車に通知する。即ち、AGV台車は在庫品を人工処理の引継ぎ点まで搬送し、出庫過程において人間が貨物の搬送と在庫の管理に参与する必要がなくなる。出庫過程において受領した注文書を合併処理することにより、出庫回数と合計搬送時間を有効的に減少し、出庫効率を向上できる。更に、注文書に含まれる在庫品の属性を判断することにより、在庫を自動的に選別し、条件に該当する最適な在庫を見出し、出庫する在庫を最適化し、最適な在庫を見出しすることにより、精確的に在庫を管理する上で、出庫時間と搬送回数を有効的に減少し、保管スペースの在庫を空にし、棚を搬送するときの転倒リスクを減少できる。
【００６６】
図２は本発明の実施例２の出庫方法のフローチャートであり、図２に示すように、本発明の実施例の方法は、
ステップ２０１、受領した出庫予定注文書を処理する。
【００６７】
本実施例では、出庫予定注文書を処理し、出庫予定の各在庫品の在庫リストを取得する。
ステップ２０２、注文書の合併処理を行うことができるか否かを判断し、YESの場合は、ステップ２０３を実行し、NOの場合は、ステップ２０４を実行する。
ステップ２０３、注文書の合併処理を行い、ステップ２０４を実行する。
【００６８】
本実施例では、得られた在庫リストの各在庫品の属性（目録品リスト）を比較することによって、目録品、ロット、工場、保管スペース、特殊在庫の全てが同じである在庫が存在するか否かを判断し、YESの場合は、出庫中注文書と合併処理を行う。
ステップ２０４、特殊在庫要求があるか否かを判断し、YESの場合は、ステップ２０５を実行し、NOの場合は、ステップ２０６を実行する。
ステップ２０５、特殊在庫要求のある在庫を特殊在庫リストに書き込み、ステップ２０７を実行する。
【００６９】
本実施例では、出庫する在庫には特殊在庫があるか否かを判断し、YESの場合は、特殊在庫に対応している在庫リストを選び出し、NOの場合は、すべての非特殊在庫リストを選び出す。
ステップ２０６、特殊在庫要求のない在庫を非特殊在庫リストに書き込み、ステップ２０７を実行する。
ステップ２０７、ロット要求があるか否かを判断し、YESの場合は、ステップ２０８を実行し、NOの場合は、ステップ２１０を実行する。
ステップ２０８、ロット要求がある在庫をロット在庫リストに書き込む。
ステップ２０９、ロットによって先入先出の順でソートし、ステップ２１１を実行する。
ステップ２１０、入庫日付によって先入先出の順でロット要求のないリストをソートする。
【００７０】
本実施例では、出庫する在庫に特殊ロットがあるか否かを判断し、YESの場合は、ロットに対応している在庫リストを選び出すとともに、ロット番号によって先入先出の順でソートし、NOの場合は、入庫日付によって先入先出の順でソートする。
ステップ２１１、リストに棚が出庫しているか否かを判断し、YESの場合は、ステップ２１２を実行し、NOの場合は、ステップ２１３を実行する。
ステップ２１２、出庫中の棚を優先的に出庫し、ステップ２２１を実行する。
【００７１】
本実施例では、出庫中の棚に出庫予定の在庫があるか否かを判断し、YESの場合は、これらの在庫を優先的に出庫する。
ステップ２１３、棚の在庫総量の大小順で棚をソートする。
【００７２】
本実施例では、ロットの同じ棚の情報や入庫日付の同じ棚の情報が複数である場合は、
ステップ２１４、在庫総量の最大の棚を選ぶ。
【００７３】
本実施例では、選び出された在庫を、所在する棚の在庫総量の大小順でソートし、在庫総量の大きい棚を優先的に選び、棚を最小限に出すという原則を実行する。
ステップ２１５、在庫総量の最大の棚が複数であるか否かを判断し、YESの場合は、ステップ２１６を実行し、NOの場合は、ステップ２２１を実行する。
ステップ２１６、棚の各方向の在庫の大小順でソートする。
ステップ２１７、方向の在庫総量の最大の棚を選択する。
【００７４】
本実施例では、選び出された在庫を、棚の情報の各方向の在庫総量の大小順でソートし、在庫総量の大きい方向を優先的に選び、棚を最小限に出すという原則を実行する。
ステップ２１８、方向在庫総量の最大の棚が複数であるか否かを判断し、YESの場合は、ステップ２１９を実行し、NOの場合は、ステップ２２１を実行する。
ステップ２１９、方向在庫総量の最大の複数の棚とステーションとの距離を計算する。
ステップ２２０、移動距離の最短の棚を選択する。
【００７５】
本実施例では、上述条件を満たしている棚とステーションとの距離を計算し、距離の近い棚を優先する。
ステップ２２１、最終に選ばれた目標棚をステーションに搬送する。
ステップ２２２、棚には複数の保管スペースが含まれるか否かを判断し、YESの場合は、ステップ２２３を実行し、NOの場合は、ステップ２２８を実行する。
ステップ２２３、各保管スペースの在庫総量を小大順でソートする。
ステップ２２４、保管スペースの在庫総量の小さい保管スペースを選択する。
【００７６】
本実施例では、選び出された在庫を、所在する棚の保管スペースの在庫総量で小大順によってソートし、在庫総量の小さい保管スペースを優先的に選び、保管スペースを空にするという原則を実行する。
ステップ２２５、保管スペースの在庫総量最小の棚が複数であるか否かを判断し、YESの場合は、ステップ２２６を実行し、NOの場合は、ステップ２２８を実行する。
ステップ２２６、保管スペースの位置の高低順でソートする。
ステップ２２７、位置の高い保管スペースにおける在庫品を選択して出庫する。
【００７７】
本実施例では、複数の保管スペースの在庫総量が同じであると、位置の高い保管スペースを優先的に選択する。この原則は棚の情報のバランスを維持できるためのものであり、AGVが搬送中に転倒の可能性を減少できる。
ステップ２２８、フローが完了する。
【００７８】
本実施例では、インテリジェント倉庫管理システムの出庫の一環を改善することにより、具体的に、出庫の際、出庫予定在庫と出庫中の在庫を比較し、もし同じ在庫がある場合は出庫中の任務に合併し、同じ目録品に対して自動的に効率的に注文書を合併する。本方法は同時に実行する注文書を合併するだけではなく、前後に実行されて異なる注文書に対しても、同じ出庫する在庫があると、合併が可能であるので、ロボットの搬送回数を有効的に減少できる。指定出庫の原則は、棚を最小限に出す原則と、棚を最小限に選択する原則と、最短距離原則と、保管スペースを空にする原則と、高い保管スペースを優先する原則とを含む。ロットを指定しない際、在庫品の入庫の順で先入先出にし、より正確的に先入先出ができる。ロットによって出庫の順を判断するだけではなく、ロットを指定しない際、在庫品の入庫の順で先入先出にし、棚の情報と保管スペースの管理をより合理的に効率的にし、ステーションと一番近い棚を選択するだけではなく、同時に棚を最小限に出すことと、保管スペースを空にすることと、低い保管スペースを優先することもできる。
【００７９】
図３は本発明の実施例３の出庫装置の構成図であり、図３に示すように、本実施例の装置は、注文書合併モジュール３１と、棚の情報取得モジュール３２と、棚の情報選択モジュール３３とを含み、
注文書合併モジュール３１は、出庫において出庫予定注文書を受領し、出庫予定注文書と出庫中注文書とを合併し、合併注文書を取得する。
【００８０】
本実施例では、好ましい実施例として、出庫予定注文書を受領し、出庫中注文書と合併して処理し、合併注文書を取得するは、
上述した出庫予定注文書の各在庫品の属性をトラバースして、出庫中注文書には、トラバースされた在庫品の属性と同じ在庫品があるか否かをチェックし、ある場合は、上述トラバースされた在庫品の属性に対応する注文書コラムにおける数量に基づいて、出庫中注文書における同じ在庫品の属性に対応する注文書コラムにおける数量を更新し、ない場合は、上述トラバースされた在庫品の属性に対応する注文書コラムを出庫中注文書に追加することを含む。
【００８１】
他の好ましい実施例として、出庫予定注文書を受領し、出庫中注文書と合併して処理し、合併注文書を取得することは、
Ａ１１、上述した出庫予定注文書の各在庫品の属性をトラバースして、在庫リストにそれぞれマッチし、マッチしていると、マッチされた在庫品の属性に対応する注文書コラムを出庫中注文書に書き込むことと、
Ａ１２、マッチされた在庫品の属性が書き込まれた出庫中注文書には、マッチされた在庫品の属性と同じ在庫があるか否かをチェックし、ある場合は、マッチされた在庫品の属性に対応する注文書コラムにおける数量により、出庫中注文書の中の同じ在庫品の属性に対応する注文書コラムにおける数量を更新するとともに、書き込まれた上述マッチされた在庫品の属性に対応する注文書コラムを削除することと、を含む。
棚の情報取得モジュール３２は、前記合併注文書における各在庫品の属性に従って、前記各在庫品の属性にマッチしている棚の情報をそれぞれに取得する。
【００８２】
本実施例では、好ましい実施例として、棚の情報取得モジュール３２は、第１の分類ユニットと、第２の分類ユニットと、棚の情報取得ユニット（図示せず）とを含む。
第１の分類ユニットは、在庫品の属性に特殊在庫が含まれているか否かにより、前記合併注文書の各在庫品を特殊在庫リストと非特殊在庫リストに分類する。
第２の分類ユニットは、在庫品の属性にロットが含まれているか否かにより、前記特殊在庫リストと非特殊在庫リストを更に分類する。
棚の情報取得ユニットは、予め設置された在庫リストをチェックし、更に分類された各在庫品がそれぞれに所属している棚の情報を取得し、取得された棚の情報を合併する。
棚の情報選択モジュール３３は、予め設置された棚出庫ポリシーに従って前記取得された棚の情報を選別することにより、目標棚の情報を取得する。
【００８３】
本実施例では、好ましい実施例として、棚の情報選択モジュール３３は、
出庫中の棚の情報があるか否かを判断し、出庫中の棚の情報がある場合は前記出庫中の棚の情報を目標棚の情報とする第１の判断ユニット（図示せず）を含む。
【００８４】
本実施例では、他の好ましい実施例として、棚の情報選択モジュール３３は、
出庫中の棚の情報があるか否かを判断し、出庫中の棚の情報がない場合は、第２の判断ユニットに通知する第３の判断ユニットと、
棚の情報がロットを含んでいる棚の情報であるか否かことを判断し、そうである場合はロットソートユニットに通知する第２の判断ユニットと、
ロット番号によって先入先出の順で前記ロットを含んでいる棚の情報をソートし、ロット番号でソートされた棚の情報を順に選んで目標棚の情報とするロットソートユニットとを備える。
【００８５】
本実施例では、さらに他の好ましい実施例として、棚の情報選択モジュール３３は、日付ソートユニットを含む。
第２の判断ユニットは、取得された棚の情報がロットを含んでいない棚の情報である場合は日付ソートユニットに通知する。
日付ソートユニットは、入庫日付によって先入先出の順で前記ロットを含んでいない棚の情報をソートし、入庫日付でソートされた棚の情報を順に選んで目標棚の情報とする。
【００８６】
本実施例では、好ましい実施例として、上述した日付ソートユニットは、さらに、
入庫日付の同じ棚の情報が複数である場合は、入庫日付の同じ複数の棚の情報を棚の情報の在庫総量の大小順でソートし、在庫総量でソートされた棚の情報を順に選んで目標棚の情報とする。
【００８７】
本実施例では、好ましい実施例として、ロットソートユニットは、さらに、ロット番号の同じ棚の情報が複数である場合は、複数のロット番号の同じ棚の情報を、在庫総量の大小順でソートし、在庫総量でソートされた棚の情報を順に選んで目標棚の情報とする。
【００８８】
本実施例では、他の好ましい実施例として、ロットソートユニットは、在庫総量の同じ棚の情報が複数である場合は、棚の情報を各方向の在庫総量の大小順でソートし、在庫総量でソートされた棚の情報を順に選んで目標棚の情報とする。
【００８９】
本実施例では、他の好ましい実施例として、ロットソートユニットは、方向の在庫総量の同じ棚の情報が複数である場合は、方向の在庫総量の同じの複数の棚とステーションとの距離をそれぞれに計算し、距離の近遠順でソートし、距離でソートされた棚の情報を順に選んで目標棚の情報とする。
【００９０】
好ましい実施例として、日付ソートユニットは、さらに、入庫日付の同じ棚の情報が複数である場合は、入庫日付の同じ棚の情報を、棚の情報の在庫総量の大小順でソートする。
【００９１】
本実施例では、他の好ましい実施例として、日付ソートユニットは、さらに、在庫総量によってソートする中で在庫総量の同じの棚の情報が複数である場合は、棚の情報の各方向の在庫総量の大小順でソートする。
【００９２】
本実施例では、さらに他の好ましい実施例として、ロットソートユニットは、方向の在庫総量の同じ棚の情報が複数である場合は、方向の在庫総量の同じの複数の棚とステーションとの距離をそれぞれに計算し、距離の近遠順でソートする。
【００９３】
本実施例では、好ましい実施例として、上述した装置は、さらに、
前記目標棚の情報に基づいて前記目標棚の情報に対応する目標棚をステーションに搬送するように自動ガイド台車に通知する通知モジュール（図示せず）を備える。
【００９４】
本実施例では、好ましい実施例として、上述した装置は、さらに、
目標棚の情報における各保管スペースの在庫総量の小大順でソートし、在庫総量の小さい保管スペースにおける在庫品を優先的に選択して出庫するように通知する出庫モジュール（図示せず）を備える。
【００９５】
本実施例では、好ましい実施例として、出庫モジュールは、さらに、保管スペースの在庫総量の同じの保管スペースが複数である場合は、保管スペースの位置の高低順でソートし、保管スペースの位置の高い保管スペースにおける在庫品を優先的に選択して出庫するように通知する。
【００９６】
本実施例の装置は、図１および図２に示す方法の実施例の技術案を実行するために使用されることが可能であり、その原理と技術効果は同様であり、ここでは説明を省略する。
ここで説明するのは、第１のおよび第２のなどの関係用語は、１つのエンティティまたは操作を別のエンティティまたは操作と区別するだけのために使用されることである。これらのエンティティや操作の間にはこのような実際的な関係や順序が存在することを必ずしも要求したり暗示したりするものではない。さらに、用語「含む」、「備える」、または他の任意の変形は、一連の要素を含むプロセス、方法、物品、または装置がそれらの要素を含むだけでなく、明示的にリストされていない他の要素、またはこのようなプロセス、方法、物品、または装置に固有の要素を含むように、非排他的な要素を含むことを意図している。これ以上の制限がない場合は，「一つ…を含む」という文が用いられる限定された要素は、その要素を含むプロセス、方法、物品、または装置において、さらに同じ要素が存在することを排除しない。
【００９７】
本明細書の各実施例は、関連した方法で説明されており、各実施例の間に類似の部分は互いに参照すればよく、各実施例は、他の実施例との異なるところを説明する。
特に、装置の実施例については、方法の実施例と基本的に類似しているため、記述は簡単であり、方法の実施例の一部の説明を参照すればよい。
例えば、フローチャートで表示されるまたは他の方式で記載のロジックおよび/またはステップは、たとえば、論理機能を実現するための実行可能なコマンドのシーケンスリストとして見なされるものであってもよく、任意のコンピュータ可読媒体において、コマンド実行システム、装置、または設備（コンピュータに基づくシステム、プロセッサを含むシステムや他のコマンド実行システム、装置またはデバイスからコマンドを受け取って実行するシステム）の使用のためのものであってもよく、またはこれらのコマンド実行システム、装置、または設備と協同して使用されるものであってもよい。本明細書において、「コンピュータ可読媒体」は、コマンド実行システム、装置、またはデバイス、またはこれらのコマンド実行システム、装置、またはデバイスに協同して使用するために、記憶、通信、伝播または転送プログラムを含むことができる任意の装置であってもよい。コンピュータ可読媒体のより具体的な例（非限定リスト）は、１つまたは１つ以上の配線を有する電気接続部（電子装置）、携帯型コンピュータディスクボックス（磁気装置）、ランダムアクセスメモリ（RAM）、読取り専用メモリ（ROM）、消去可能編集読取り専用メモリ（EPROMまたはフラッシュメモリ）、光ファイバ装置、携帯用ディスク、および読み取り専用メモリ（CDROM）を含む。また、コンピュータ可読媒体は、例えば上述したプログラムが印刷された紙また他の適当の媒体、例えば、紙や他の媒体を光学走査し、そして上述のプログラムをデジタル方式で得るように編集、解釈、または必要に応じて他の適切な方法で処理した後、コンピュータメモリに記憶する。
【００９８】
本明細書の各部は、ハードウェア、ソフトウェア、ファームウェア、またはこれらの組み合わせで実装され得ることが理解できる。
【００９９】
上記の実施例では、複数のステップまたは方法は、メモリに格納され、適切なコマンドシステムによって実行されるソフトウェアまたはファームウェアで実現されてもよい。例えば、ハードウェアで実現すると、他の実施例と同様に、当技術分野で公知されている以下の技術のいずれか一項またはそれらの組み合わせで実現できる。即ち、デジタル信号の論理機能を実現するための論理ゲート回路の分散論理回路、適切な組み合わせ論理ゲート回路を備えた専用集積回路、プログラマブルゲートアレイ（PGA）、フィールドプログラマブルゲートアレイ（FPGA）などである。
【０１００】
本発明の実施例は、さらに、電子装置を提供し、前記電子装置は上記のいずれかの実施例に記載された装置を備える。
【０１０１】
図４は本発明の電子装置の１つの実施例の構成図であり、図１乃至図３に示す実施例のフローを実施できる。図４に示すように、上記の電子装置は、ケース４１と、プロセッサ４２と、メモリ４３と、電気回路基板４４と、電源回路４５と、を備え、電気回路基板４４がケース４１に囲まれるスペースの内部に設置され、プロセッサ４２とメモリ４３が電気回路基板に設置され、電源回路４５が上記した電子装置の各回路または素子に電力を供給し、メモリ４３が実行可能なプログラムコードを記憶し、プロセッサ４２がメモリ４３に記憶されている実行可能なプログラムコードを読み取ることにより、実行可能なプログラムコードに対応するプログラムを実行し、前記いずれか１つの態様に記載の出庫方法を実行する。
【０１０２】
プロセッサ４２が上記ステップを実行する具体的なプロセスおよびプロセッサ４２が実行可能なプログラムコードを実行することによってさらに行うステップについては、図１乃至図３に示す実施例の説明を参照してもよく、ここで贅言を控える。
【０１０３】
この電子装置は様々な形で存在している。以下のものを含むが、それらに限定されない。
（１）移動通信装置：これらの装置は、特徴として、移動通信機能を備え、音声、データ通信を提供することを主な目的とする。このような末端装置は、スマートフォン（例えばiPhone）と、マルチメディア機能搭載携帯電話と、高機能携帯電話と、普通携帯電話などを備える。
（２）超移動パーソナルコンピュータ設備：このような設備はパーソナルコンピュータの範疇に属し、計算と処理の機能があり、移動インターネットの特性を備えるのが一般的である。このような末端設備は、PDAと、MIDと、UMPC設備などを備える。
（３）携帯型エンターテイメントデバイス：このようなデバイスはマルチメディアコンテンツを表示して再生することができる。
このような端末機はオーディオ、ビデオプレーヤー（例えばiPod）、携帯ゲーム機、電子書籍、スマート玩具、携帯車載ナビゲーション装置を含む。
（４）サーバ：計算サービスを提供する装置であり、サーバの構成はプロセッサ、ハードディスク、メモリ、システムバスなどを含む。サーバは汎用のコンピュータとアーキテクチャで類似しているが、高い信頼性のサービスを提供する必要があるので、処理能力、安定性、信頼性、安全性、拡張性、管理性などの面で要求が高い。
（５）他のデータインタアクション機能を持つ電子装置。
本技術分野の一般技術者は、上述した実施例の方法に載せられているすべてまたは一部のステップがプログラムで関連するハードウェアを指示することによって実現されることができると理解しうる。上述のプログラムはコンピュータ可読な記憶媒体に記憶されてもよい。このプログラムを実行する際に、方法の実施例のステップの１つまたはそれらの組み合わせが含まれているようになる。
【０１０４】
本発明の実施例は、電子装置を提供し、図５に示すように、この電子装置は、実行可能なプログラムコードを記憶するメモリ５０２と、メモリ５０２に記憶されている実行可能なプログラムコードを読み取ることにより、実行可能なプログラムコードに対応するプログラムを実行するプロセッサ５０１と、を備え、前記いずれか１つの態様に記載の出庫方法を実行する。
【０１０５】
本発明の実施例は実行可能なプログラムコードも提供し、上記の実行可能なプログラムコードはいずれか１つの態様に記載の出庫方法を実行する。
本実施例によって開示されるコンピュータ可読記憶媒体は、前記コンピュータ可読記憶媒体が実行可能なプログラムコードを記憶し、前記プログラムコードが実行されて前記いずれか１つの態様に記載の出庫方法を実行する。
【０１０６】
本実施例を適用し、出庫中で出庫予定注文書を受領することと、出庫予定注文書と出庫中注文書を合併し、合併注文書を取得することと、前記合併注文書の各在庫品の属性により、前記各在庫品の属性にマッチしている棚の情報をそれぞれに取得することと、予め設置された棚情報出庫ポリシーに基づいて、取得された棚の情報にマッチすることにより、目標棚の情報を取得することと、を含むということによって、従来の出庫方法において出庫中で新規注文書を考慮しないことによる出庫の回数と合計搬送の時間が増え、出庫の効率が低下という問題を解決できる。
【０１０７】
説明の便宜上、上記の装置は、機能によって様々なユニット／モジュールに分けられてそれぞれに説明する。もちろん、本発明を実施する際に、各ユニット／モジュールの機能は、同一または複数のソフトウェアおよび／またはハードウェアで実現されてもよい。
【０１０８】
以上の実施例の説明により、当業者は、本発明がソフトウェアプラスと必要とする汎用ハードウェアプラットフォームによって実現可能であることが明らかである。このような理解に基づいて、本発明の技術案は、本質的に、既存の技術に対して貢献する部分をソフトウェア製品として具現化することができる。このソフトウェア製品は記憶媒体に記憶することができ、例えば、ROM／RAM、磁気ディスク、光ディスクなどのように、１台のコンピュータ装置（パーソナルコンピュータ、サーバ、またはネットワークデバイスなど）で本発明の様々な実施例または実施例の一部に記載の方法を実行するようにするためのいくつかのコマンドを含むものである。
【０１０９】
ここで説明するのは、第１のおよび第２のなどの関係用語は、１つのエンティティまたは操作を別のエンティティまたは操作と区別するだけのために使用される。これらのエンティティや操作の間にはこのような実際的な関係や順序が存在することを必ずしも要求したり暗示したりするものではない。さらに、用語「含む」、「備える」、または他の任意の変形は、一連の要素を含むプロセス、方法、物品、または装置がそれらの要素を含むだけでなく、明示的にリストされていない他の要素、またはこのようなプロセス、方法、物品、または装置に固有の要素を含むように、非排他的な要素を含むことを意図している。  これ以上の制限がない場合は，「一つ…を含む」という文が用いられる限定された要素は、その要素を含むプロセス、方法、物品、または装置において、さらに同じ要素が存在することを排除しない。
【０１１０】
本明細書の各実施例は、関連した方法で説明されており、各実施例の間で類似の部分は互いに参照すればよく、各実施例は、他の実施例と異なる部分を重点的に説明する。
特に、図３に示す出庫装置の実施例、図４と図５に示す電子装置の実施例、上記実行可能プログラムコードの実施例、上記コンピュータ可読記憶媒体の実施例については、図１乃至図２に示す出庫方法の実施例と基本的に類似するため、説明が簡単であり、関連する部分は、図１乃至図２に示す出庫方法の実施例の一部を参照して説明すればよい。
以上に記載するのは本発明の好ましい実施例だけであり、本発明を制限するものではない。本発明の主旨と原則においてなされる修正、均等物による置換え、改良などは、いずれも本発明の保護の範囲の内にある。
【図１】
2020502015.tif 000003
【図２】
2020502015.tif 000004
【図３】
2020502015.tif 000005
【図４】
2020502015.tif 000006
【図５】
2020502015.tif 000007
【国際調査報告】
2020502015.tif 000008
2020502015.tif 000009
2020502015.tif 000010
2020502015.tif 000011